Podtech/llm-jp-corpus-v4-ja_patent huggingface dataset:
(57)【要約】【課題】降雨時の暗い環境下で傘をさす歩行者の識別、及び目視確認を容易に可能とする。【解決手段】傘の柄部に電池、及び光源を納め、光源が発する光を光ファイバーにより、傘の各端部に伝達させ、各々の端部で発光させる。また、光ファイバーそのものの漏光をそのまま外部に透過させれば、傘軸骨部でも、同様の発光効果を得る。【選択図】図１
0003103011.tif 000002
【実用新案登録請求の範囲】
【請求項１】
傘の柄部に電池、及び光源を持ち、光ファイバーにより光源から発する光を、傘の各末端部分に運び、各々の箇所で発光させる事を特徴とする発光する傘。
【考案の詳細な説明】
【技術分野】
【０００１】本考案は、電気により発光する傘に関するものである。
【背景技術】
【０００２】従来、傘は本体そのものを発光せしめる手段が無かった。【０００３】降雨時、特に暗い夜道では、自動車から傘をさす歩行者の識別が難しく、光反射板を使用しても、ヘッドライトが当たらない限り、傘をさす歩行者を目視確認する事は困難な状態であった。
【考案の開示】
【考案が解決しようとする課題】
【０００４】解決しようとする問題点は、従来、降雨時の暗い環境下に於いて、傘をさす歩行者を容易に目視確認出来ない点である。
【課題を解決するための手段】
【０００５】本考案は、降雨時の暗い環境下に於いても、傘をさす歩行者を容易に認知可能にする為、傘本体に電気による発光手段を施す事を主要な特徴とする。
【考案の効果】
【０００６】本考案は、傘本体を電気的に発光させる手段を施す為、その目視確認が別の光源に依存する必要が無くなり、降雨時の暗い環境下でも容易に認知可能となる利点がある。
【考案を実施するための最良の形態】
【０００７】雨による漏水が起らない事を前提条件とし、電気的に発光させるという目的を、最小の部品点数で実現した。
【実施例１】
【０００８】図１は本考案の実施例説明図、図２は、本考案の断面図であり、柄部１の内部に電池７、及び光源５を備え、電源スイッチ２により光源の電流コントロールを行なう。【０００９】光源５の光は、光ファイバー６により、傘の各端部３に運ばれ、各々の端部にて発光する。また、傘の軸骨部４に強化プラスチック等の透明素材を使用すれば、光ファイバーの漏光により軸骨部４をも発光させる事が可能となる。
【産業上の利用可能性】
【００１０】光源５の輝度、及び光ファイバー６の外径を調節する事により、交通安全性をより高める利用法、或いは、よりファッション性を持たせた利用法という選択が可能である。
【図面の簡単な説明】
【００１１】
【図１】本考案の実施方法を示した説明図である。
【図２】本考案の傘断面図である。
【符号の説明】
【００１２】１  柄部
２  電源スイッチ
３  傘の各端部
４  傘の軸骨部
５  光源
６  光ファイバー
７  電池
【図１】
0003103011.tif 000003
【図２】
0003103011.tif 000004
(57)【要約】【課題】      従来のゴルフクラブ陳列におけるヘッド部分の保護材には、シュリンクやポリ袋等が使用され、見栄えが悪く、そのまま試し打ちできる構造に成っていなかった。従って、透明ラッピング塗装を施す事によって、見栄えの良い商品陳列を提供し、試し打ちに耐えられるので、試打用クラブの必要性を無くす事ができると考えられる。【解決手段】        ヘッド本体（２）全体に透明ラッピング膜（１）を塗る事を特徴とする。【選択図】          図１
0003103014.tif 000002
【実用新案登録請求の範囲】
【請求項１】
ヘッド部全体に透明ラッピング塗装を施したゴルフクラブ
【考案の詳細な説明】
【考案の詳細な説明】
この考案は、見栄え良く、商品陳列ができ、かつ、試し打ちのできるゴルフヘッドの透明ラッピング塗装に関するものである。
従来、ゴルフクラブ販売の陳列方法は、製品の傷や汚れを防ぐ為に、シュリンクやポリ袋で覆うことが一般的であった。
シュリンクは、継目や気泡が目立ったり、ポリ袋は、ヘッドの輪郭が見ずらく、かと言って、それらを付けずに陳列すれば、傷等で新品の価値が損なわれる事が多々起こる。
又、そうした陳列品は、そのままお客様が試し打ちを行えず、別に試打クラブを用意しなければならなかった。
本考案は、これらの欠点を解消する為に成されたもので、それを図面で説明すれば、ヘッド本体全体（２）に透明ラッピング塗装（１）を施す事である。
この様な考案であるから、ヘッド本体の傷や汚れを防ぎ、形状、色合いがそのまま把握でき、又、そのまま試し打ちができる利点が生じ、試打用クラブの必要性が無くなる。
そして、シュリンク材と同じように簡単に剥がす事ができるので、新品として販売する事ができる。
【図面の簡単な説明】
【図１】          本考案の斜視図である。
【符号の説明】
（１）はラッピング塗膜  （２）はヘッド本体  （３）はシャフト
【図１】
0003103014.tif 000003
(57)【要約】      （修正有）【課題】空気供給管を水槽、掛け布団、またはその他の保温が必要な場所に入れた際に、適切な長さの空気供給管を敷設することで、むらのない熱気を提供し加熱保温することができる保温装置を提供する。【解決手段】空気ポンプの空気供給管内に加熱線を通し、同時に空気供給管に複数の排気孔を開け、空気供給管内に空気を供給すると共に、管内に供給された空気を加熱線で適切に加熱されるようにし、加熱された空気が各排気孔から排出されるようにした。【選択図】図２
0003103090.tif 000002
【実用新案登録請求の範囲】
【請求項１】
空気ポンプ、空気ポンプにつないだ空気供給管があり、空気供給管内に加熱線が通され、空気供給管に排気孔が設けられていることを特徴とする保温装置。
【請求項２】
請求項１記載の保温装置における加熱線であって、高抵抗線の周りを耐熱シリコンで覆われていることを特徴とする加熱線。
【考案の詳細な説明】
【技術分野】
【０００１】
本考案は、管壁に複数の排気孔を開けた空気供給管内に加熱線を設置し、空気供給管で空気を加熱した後、加熱した空気を各排気孔から排出してむらなく散布する保温装置に関する。
【背景技術】
【０００２】
各種魚類を飼育する水槽では、冬になると魚が凍え死ぬことなく寒い気候を乗り越えられるように、通常、保温器を水槽内に設け（図１参照）、水槽内の温度を適切に保っている。
【０００３】
この保温器は、透明なガラス管１の底に隔離用のガラスファイバー綿１３を敷き、加熱線１２を管内に入れ、加熱線１２を制御回路１１につなぐもので、その制御回路１１はガラス管１の上段に取り付けられ、最後に管の口をゴム１５で塞ぎ、御回路１１の上の電源線はゴム１５から貫通させることによって水が管内に浸透することを防止しており、ガラス管１１の外には吸盤１４が設けられている。
【０００４】
そして、保温器全体を水中に浸し、吸盤１４を水槽の壁面に吸いつけてガラス管１を固定し、加熱線１２に電流を流して熱を発生させることによってガラス管１が発熱し、ガラス管１の周囲の水を加熱する。
【考案の開示】
【考案が解決しようとする課題】
【０００５】
しかし、保温器は水槽の片側に取り付けられているため、水槽のもう一方は距離が離れており、保温器１周辺の水が設定された適切な温度に達しても、もう片側の水は設定された水温に達することができず、水の温度の分布にむらが発生してしまい、逆に保温器が加熱する温度をやや上げると、水槽のもう片側の水温は設定された適切な温度に達しても、保温器周囲の水温は高くなりすぎ、病原菌が発生しやすくなってしまう。
【０００６】
また、保温器は水槽の水を適切な温度に保つことができるが、加熱された温度は保温器の周囲から、ゆっくりと外向きに拡散するため、保温器の水の加熱保温効果はよくなく、加熱の速度および効率も極めて緩慢で、かつ均一に散布することはできない。
【課題を解決するための手段】
【０００７】
そこで、本考案が上述の目的を達成するために採用した技術手段は、空気ポンプの空気供給管内に加熱線を設け、管壁に複数の排気孔を設けて、空気供給管を水槽の任意の場所に取り付け、空気供給管内の空気を加熱線で加熱し、加熱した空気を各排気孔から水槽の水に入れるというものである。
【０００８】
本考案は、下記の実施例に基づき、図面と合わせ、充分な理解を得て、これに基づき実施することができる。
【考案の効果】
【０００９】
上述した従来の保温器では、熱を水槽内にむらなく分布させて急速に加熱することができないという問題を有するが、本考案では、空気を水槽内に供給する空気供給管を提供し、同時に管内の空気を加熱してから水槽内に入れ、水槽の溶存酸素量を増加し、水槽の水を加熱し保温することができる。
【００１０】
また、空気供給管に熱い空気を排出する排気孔を開け、どこにでも拡散させることができるため、熱気をむらなく水槽内のあらゆる場所に分布させることができ、加熱効率を向上させ、水槽の水のすべての場所の温度を均一に分布させることができる。
【考案を実施するための最良の形態】
【００１１】
図２と図３に示したように、本考案には、空気ポンプ２、ポンプ２につながれた空気供給管４、空気供給管４内に通された加熱線５が含まれ、そのうち空気供給管４には、穴が開けられ、加熱線５を空気供給管４内に通し、加熱線５を空気供給管４の末端まで延伸させることができ、空気供給管４の末端は密封され、かつ加熱線５を通す空気供給管４内の穴は、ゴム６で密封されており、空気供給管４の管壁には複数の排気孔４０が設けられている（図４参照）。また、加熱線５には、高抵抗線５１があり、線５１の外は耐熱シリコン５２で覆われ、加熱線５は制御回路３につながれている。
【００１２】
よって、上述の空気供給管４は、実際の必要に応じて、水槽の底に広く敷くことができ、加熱線５が制御回路３によって電流を流され発熱した後、ポンプ２によって空気供給管４内に入れられた空気が加熱され、加熱された空気が各排気孔４０から水槽の水の中に入れられ、水槽内で発生した熱い気泡が上昇するため、熱い気泡が水槽の水の溶存酸素量を増加させると同時に、水槽の水を加熱し、冷たい水槽の水を設定された適切な温度に保つことができ、かつ空気供給管４の空気供給側から水槽のすべての場所に広く分布させることができるため、水槽の水が均一に加熱され、水槽の水のいかなる場所の温度も均一に保つことができ、温度が高すぎたり低すぎたりする現象は発生せず、かつ加熱保温効果、エネルギー利用効率は大幅に向上する。
【００１３】
さらに、本考案の提供する保温器は、他の場所でも広範に応用することができ、熱気を供給する空気供給管４を、掛け布団７内に曲がらせて取り付けると、布団の中を暖かく保つことができる。
【００１４】
いずれにせよ、上述の実施例は、本考案がより優れていることを具体化した開示と詳細な説明であり、この技術に習熟した人ならはっきりと理解することができ、行われる各種の形状および局部の変更は、本考案の精神と範疇を乖離したものではない。
【図面の簡単な説明】
【００１５】
【図１】従来の保温器の構造見取図。
【図２】本考案の構造見取図。
【図３】本考案の局部見取図。
【図４】本考案の空気供給管の局部断面図。
【図５】本考案の別の応用の場合の見取図。
【符号の説明】
【００１６】
２…ポンプ
３…制御回路
４…空気供給管
４０…排気孔
５…加熱線
５１…線
５２…シリコン
６…ゴム
７…掛け布団
【図１】
0003103090.tif 000003
【図２】
0003103090.tif 000004
【図３】
0003103090.tif 000005
【図４】
0003103090.tif 000006
【図５】
0003103090.tif 000007
(57)【要約】      （修正有）【課題】内燃機関の燃焼用吸入空気に，燃料用メタノールの蒸発・気化に伴い発生する水素ガスを同伴させ内燃機関の燃焼効率の向上を容易に安価に実現する。【解決手段】燃料用メタノール１を，ポリエチレン製小型試薬容器２に充填し，エンジン回転数検出センサー３と制御回路５を介し，空気ポンプ４を駆動し，空気ポンプ吐出ライン用ポリエチレン製チューブ６とシール蓋９を通して燃料用メタノールに，空気１０を圧入して，燃料用メタノールの蒸発・気化を促す。蒸発・気化で発生した水素ガス１１は，水素ガス搬送用ポリエチレン製ホース７，シール蓋を経て，燃焼用空気導入口８で他の燃焼用吸入空気に同伴し燃焼に供せられる。【選択図】図１
0003103061.tif 000002
【実用新案登録請求の範囲】
【請求項１】
燃料用メタノールをポリエチレン製小型容器に入れて蓋とチューブを介して空気ポンプで発生した気泡をその容器に圧入してメタノールの蒸発・気化を促し，発生した水素ガスを蓋とホースを介して，内燃機関の吸入用空気に同伴させる装置。
【考案の詳細な説明】
【技術分野】
【０００１】  本考案は燃料用メタノールを内燃機関回転数に応じて蒸発・気化させ発生した水素ガスを内燃機関の燃焼用吸入空気と同伴させ，燃焼を助ける技術である。
【背景技術】
【０００２】  燃料用メタノールからは常圧で容易に水素ガスが得られる。
【考案の開示】
【考案が解決しようとする課題】
【０００３】  空気の８０％近くが燃焼に関係なく内燃機関燃焼室送りこまれているが，本装置で発生させた水素ガスをいかに容易に，低価格で燃焼用吸入空気と同伴させ実用化させることが課題である。
【問題を解決するための手段】
【０００４】  図のように，１燃料用メタノールを，２ポリエチレン製小型試薬容器に充填し，３エンジン回転数検出センサーと５制御回路を介し，４空気ポンプを駆動し，６空気ポンプ吐出ライン用ポリエチレン製チューブと９シール蓋を通して１燃料用メタノールに，１０空気を圧入して，１燃料用メタノールの蒸発・気化を促す。
蒸発・気化で発生した１１水素ガスは，７水素ガス搬送用ポリエチレン製ホース，９シール蓋を経て，８燃焼用空気導入口で他の燃焼用吸入空気に同伴し燃焼に供せられる。
以上の手段でこの問題は解決された。
【考案の効果】
【０００５】  本考案の内燃機関燃焼用吸入空気の改質装置により燃焼用吸入空気に水素ガスが添加され，内燃機関の各気筒の燃焼効率が改良された。
【考案を実施するための最良の形態】
【０００６】  図で示した構成部品を自家用自動車に取付け，走行し容易に性能を確認できる。
【実施例】
【０００７】  一般小型自動車
【図面の簡単な説明】
【０００８】
【図１】  内燃機関燃焼用吸入空気改質装置全体図
【符号の説明】
【０００９】  １  燃料用メタノール
２  ポリエチレン製小型試薬容器
３  内燃機関回転数検出センサー
４  空気ポンプ
５  制御回路（電源，ヒューズ付，ケーブル付）
６  空気ポンプ吐出ライン用ポリエチレン製チューブ
７  水素ガス搬送用ポリエチレン製ホース
８  燃焼用吸入空気導入口
９  シール蓋
１０  空気
１１  水素ガス
【図１】
0003103061.tif 000003
(57)【要約】【課題】人のし好を満足させるため、人が一定の儀礼時、日常生活時、レクリエーション時などそれぞれの状況に応じ、またその際着ける服装或いは施す化粧の濃淡や用いる服飾品に対応して、好ましい外観を作出することができる人工歯冠を提供することにある。【解決手段】前記課題を解決するには、人が前記状況に応じてし好にそい、かつ社会の慣行から外れない範囲で、用いる人工歯冠を選択できるようにするため、構成をできるだけ単純なものにした。即ち、自然歯又は植設支台１に嵌着する人工歯冠２は、その表面の全部又は一部に自然歯と異なる着色３を施した。【選択図】図１
0003103067.tif 000002
【実用新案登録請求の範囲】
【請求項１】
自然歯又は植設支台１に着脱自在な人工歯冠２において、該人工歯冠２の表面の全部又は一部に自然歯の色と異なる着色３を施したことを特徴とする有色歯冠
【考案の詳細な説明】
【技術分野】
【０００１】
本考案は、し好に従い、選択して着脱自在とする人工歯冠の改良に関するものである。
【背景技術】
【０００２】
歯は、健康維持に欠かせないものであるが、これに止まらず、その人の容貌のうちでも他人に与える印象を直接に左右する重要な要素ともなる。現在の歯科診療においては、当然ながら、う歯によって失なわれた歯冠の修復に重点がおかれ、し好の点はあまり重視されてこなかった。
【特許文献１】特開平５−６８６８７号公報
【考案の開示】
【考案が解決しようとする課題】
【０００３】
解決しようとする問題点は、前記のとおり、従来の歯科診療における歯冠の修復のみを重視する態度を改め、人のし好をも考慮することにある。そこで、特許３４２６１０２号は、自然歯又は植設支台に着脱する基体を設け、その被覆部もしくは取付部を透明に形成するとともに、着色材料を被覆部もしくは取付部に封入し可視にした着色歯冠を提案し、好ましい外観を作出できる手段を提供しているが、費用と手間がかかるのでこの点をも改善するにある。
【課題を解決するための手段】
【０００４】
本考案は、自然歯又は植設支台１に着脱自在な人工歯冠２を形成し、該人工歯冠２の表面の全部又は一部に、し好に従い自然歯の色と異なる着色３を施したことを主要な特徴とする。
【考案の効果】
【０００５】
本考案に係る人工歯冠２は、使用の際の状況例えば、冠婚葬祭などの儀礼時に着けるものであるか、日常的生活時に着けるものであるか、レクリエーションなどくだけた環境時に用いるものであるかなど社会慣行の下に、服装の色がどのようなものであるか、化粧の色彩濃淡はどのようであるか、どのような服飾品を着ける場合であるかなどを考慮して、好ましい外観を作出するため使い分けられるという利点がある。
【考案を実施するための最良の形態】
【０００６】
本考案は、構成をできるだけ単純なものにし、人工歯冠２の使用の可否及び色彩の選択を容易になし得るようにし、使用者の好みを気軽に表現可能にした。
【実施例１】
【０００７】
図１は、本考案に係る人工歯冠２を自然歯又は植設支台１に嵌着した状態を示す俯瞰図である。人工歯冠２は、自然歯又は植設支台１の形状により、これに着脱容易な形状に形成し、人工歯冠２の表面の全部又は一部に、法令が歯科診療において使用を認める材質の着色材料を用い、自然歯の色と異なる着色３を施すものである。
【産業上の利用可能性】
【０００８】
人工歯冠２は、自然歯のみでなく、植設支台にも嵌着可能に構成したので、植設支台の嵌合部の形状が特定されれば、あらかじめ表面の色彩が異なる多数のものを生産可能である。
【図面の簡単な説明】
【０００９】
【図１】人工歯冠２を自然歯又は植設支台１に嵌着した状態を示す俯瞰図である。
【符号の説明】
【００１０】
１    自然歯又は植設支台
２    人工歯冠
３    着色
【図１】
0003103067.tif 000003
(57)【要約】【課題】ひんやり感があり、気温の高い夏場においても快適な装着状態が得られるようにした腕カバーを提供する。【解決手段】丸編みにより筒状に編成された腕覆い部２と、手の甲覆い部とが一体に作られている腕カバー１であって、腕覆い部２および手の甲覆い部が外側編地２ａと内側編地２ｂにより二重構造に作られている。【選択図】    図３
0003103062.tif 000002
【実用新案登録請求の範囲】
【請求項１】
丸編みにより筒状に編成された腕覆い部と、手の甲覆い部とが一体に作られている腕カバーであって、腕覆い部および手の甲覆い部が外側編地と内側編地により二重構造に作られていることを特徴とする腕カバー。
【請求項２】
外側編地はＵＶカット糸が用いられ、内側編地は吸水性の糸が用いられていることを特徴とする請求項１記載の腕カバー。
【考案の詳細な説明】
【技術分野】
【０００１】
本考案は、例えば車の運転中に特に女性が腕の日焼けを防止するのに装着して好適な腕カバーに関するものである。
【背景技術】
【０００２】
従来のこの種腕カバーとしては特許文献１に開示されているものが知られている。この特許文献１に開示されている腕カバーは、全体が筒状に編まれて腕を覆う本体部と、この本体部の一方に一体的に編まれた手袋部とから構成されているものである。このような腕カバーは全体が一重構造で、日焼け防止効果を向上させるためにＵＶカット糸を材料に用いて編成されているのが多い。
【特許文献１】実用新案登録第３０４０８４７号公報
【考案の開示】
【考案が解決しようとする課題】
【０００３】
上記した一重構造の腕カバーではＵＶカット糸を材料に用いて編成されてＵＶ（紫外線）をカットするように作られていても、この腕カバーを腕に装着した状態において腕カバーと腕との間に熱がこもり、気温の高い夏場においては不快を伴うという問題があった。
【０００４】
本考案の目的は、このような課題を解決するものであり、ひんやり感があり、気温の高い夏場においても快適な装着状態が得られるようにした腕カバーを提供することにある。
【課題を解決するための手段】
【０００５】
本考案の請求項１に記載の腕カバーは、丸編みにより筒状に編成された腕覆い部と、手の甲覆い部とが一体に作られている腕カバーであって、腕覆い部および手の甲覆い部が外側編地と内側編地により二重構造に作られていることを特徴とする。
【０００６】
請求項２に記載の腕カバーは、外側編地はＵＶカット糸が用いられ、内側編地は吸水性の糸が用いられていることを特徴とする。
【考案の効果】
【０００７】
以上のように、本考案の腕カバーは、腕覆い部および手の甲覆い部が外側編地と内側編地により二重構造に作られているので、外側編地と内側編地との間に空気層が形成され、腕カバーを腕に装着したとき、ひんやり感があり、つまり外側編地から外側の熱が腕に直接伝わらず、空気層により熱を遮断し、気温の高い夏場においても快適な装着状態が得られる。
【考案を実施するための最良の形態】
【０００８】
以下、本考案の一実施の形態について、図１〜図３に基づいて説明する。
図において、１は丸編みにより筒状に編成された腕カバーで、腕覆い部２と、手の甲覆い部３とが一体に作られている。この腕カバー１は腕覆い部２および手の甲覆い部３が二重構造となっている。つまり、腕覆い部２および手の甲覆い部３は外側編地２ａと内側編地２ｂを備え、外側編地２ａをポリエステルからなるＵＶカット糸を用いて編成することによりＵＶ（紫外線）をカットする機能を持たせ、内側編地２ｂを綿からなる吸水性の糸を用いて編成することにより発汗した汗を吸い取る機能を持たせている。４および５は手の甲覆い部３の内面に取り付けた親指通し部および小指通し部である。
【０００９】
上記構成において、腕カバー１は外側編地２ａと内側編地２ｂにより二重構造に作られているので、外側編地２ａと内側編地２ｂとの間に空気層が形成され、腕カバー１を腕６に装着したとき、ひんやり感があり、つまり外側編地２ａから外側の熱が腕６に直接伝わらず、空気層により熱を遮断し、気温の高い夏場においても快適な装着状態が得られるようになる。
【図面の簡単な説明】
【００１０】
【図１】本考案の一実施の形態における腕カバーの全体斜視図である。
【図２】同腕カバーの装着状態を示す斜視図である。
【図３】同腕カバーの断面図である。
【符号の説明】
【００１１】
１      腕カバー
２      腕覆い部
２ａ    外側編地
２ｂ    内側編地
３      手の甲覆い部
４      親指通し部
５      小指通し部
６      腕
【図１】
0003103062.tif 000003
【図２】
0003103062.tif 000004
【図３】
0003103062.tif 000005
(57)【要約】      （修正有）【課題】携帯に便利な万年筆型携帯用電子ホイッスルを提供する。【解決手段】本体一方の端に、組孔を有し鉤状をした構造物を取りけて万年筆型の形状をとる。【選択図】図１
0003103009.tif 000002
【実用新案登録請求の範囲】
【請求項１】
衣類のポケットや襟元などに掛け、あるいはまたバッグやカバンなどの持ち物に掛けて携帯できるよう、本体の一方の端に、紐孔を有し鉤状をした構造物を取付けて万年筆型の形状としたところの携帯用電子ホイッスルである。
【考案の詳細な説明】
【技術分野】
【０００１】  本考案は電子ホイッスルの形状に属するもので、その携帯に利便性を持たせるため、電子ホイッスルの本体に、紐孔を有し鉤状をした構造物を取り付けた技術である。
【背景技術】
【０００２】  本体の後端部に紐孔を設けて当該紐孔に紐を通して首に掛けたり、手首に巻き付けたりするよう図面で説明したものがある。
【特許文献】特開平９−２９７５８４
【考案の開示】
【考案が解決しようとする課題】
【０００３】  電子ホイッスルは最近防犯用品としての機能が注目されてきた。しかし従来の技術はもっぱらスポーツ用補助器具としてのホイッスルだったため、手首に巻き付けたり首に掛けることくらいしか考慮されていない。このため子供や若い女性が防犯用として常時携帯することの視点に欠け、普及の足枷となっている。
【課題を解決するための手段】
【０００４】  本考案は電子ホイッスルの本体に、鉤状の構造物を取り付けることで、シャツや上着など衣類のポケットや襟元に掛けたり、あるいはバッグやカバンなどの持ち物に掛けて携帯することを可能としている。
【考案の効果】
【０００５】  本考案によって制作された電子ホイッスルは、衣類やバッグなどに掛けて携帯することが可能なため、目立たず、簡単に携帯できる。これにより従来携帯することに抵抗感のあった若い女性や子供たちにも積極的に携帯され、誘拐事件などの犯罪事件の減少に効果を発揮することが期待されている。
【考案を実施するための最良の形態】
【０００６】  本考案の設計思想に基づき制作された電子ホイッスルを、子供たちや若い女性が外出の際、手軽に衣類やバッグなどに掛けて携帯し、活用する。
【実施例１】
【０００７】  本考案の設計思想に基づき制作された電子ホイッスルは、埼玉県蕨市や千葉県船橋市の一部の小学校で、生徒によって防犯用品として使用されている。
【実施例２】
【０００８】  本考案の設計思想に基づき制作された電子ホイッスルは、親元を離れて上京し東京都内で単身生活している一部の女子大学生などにも利用されている。
【図面の簡単な説明】
【０００９】
【図１】万年筆型携帯用電子ホイッスルの正面図である。
【図２】万年筆型携帯用電子ホイッスルの平面図である。
【図３】万年筆型携帯用電子ホイッスルの側面図である。
【符号の説明】
【００１０】  １  万年筆型電子ホイッスルの本体
２  万年筆型電子ホイッスルの本体に取り付けた鉤状の構造物
３  万年筆型電子ホイッスルの本体に取り付けた紐孔のある構造物
４  万年筆型電子ホイッスルの本体に付いている電源のスイッチ
【図１】
0003103009.tif 000003
【図２】
0003103009.tif 000004
【図３】
0003103009.tif 000005
(57)【要約】【課題】  デジタルカメラ画像のプリントの立体感と質感を出すことが出来る様にする。【解決手段】  デジタルカメラで撮った画像を透過フィルム１にプリントし、その下に薄いアルミ板２を敷き透過した光を反射させるようにした。【選択図】  図２
0003103010.tif 000002
【実用新案登録請求の範囲】
【請求項１】
デジタルカメラで撮った画像を透過フィルム１にプリントし、その下に薄いアルミ板２を敷き画像の立体感と質感を持たせる印刷物
【考案の詳細な説明】
【考案の開示】
【考案が解決しようとする課題】
【０００１】従来のデジタルカメラの画像のプリントは、光沢紙を使い精細と色再現は出来ていたが、物の質感が平面的であり、立体感が乏しかった。
【課題を解決するための手段】
【０００２】上記目的を達成するために、光沢紙の代わりに透過フィルムを使いプリントし、その下に薄いアルミ板を敷いた。
【考案の効果】
【０００３】透過フィルムを通過した自然光、又は蛍光灯の光が透過フィルムの下に敷いた薄いアルミ板に反射され、画像が浮き上がる様に見え物の立体感が増し質感が出てくる。
【図面の簡単な説明】
【０００４】
【図１】透過フィルムと薄いアルミ板の斜視図である。
【図２】透過フィルムと薄いアルミ板の断面図である。
【符号の説明】
１  透過フィルム
２  薄いアルミ板
３  プリント面
【図１】
0003103010.tif 000003
【図２】
0003103010.tif 000004
(57)【要約】      （修正有）【課題】温冷の蓄熱が簡易迅速にでき、又、温冷した後の持続時間が長く、夜具を濡らす心配も全くなく安心して使用することができるようにした温冷用癒しパッド及びそのパッドに封入される熱作用子を得る。【解決手段】中央核部に空気を密閉した小さな気密内室１と、前記気密内室を内包する空気密閉の気密外室２と、前記気密内室と気密外室を熱不良導体のコルク様繊維質の堅牢な物質で殻成すると共に前記気密内室の殻３と気密外室の殻４とを連結片５により一体に連結してなる小さな熱作用子Ａを多数個設け、それを所要の袋に封入して温冷用癒しパッドを構成する。【選択図】図１
0003103007.tif 000002
【実用新案登録請求の範囲】
【請求項１】
中央核部に空気を密閉した小さな気密内室１と、前記気密内室１を内包する空気密閉の気密外室２と、前記気密内室１と気密外室２を堅牢な物質で殻成すると共に前記気密内室１の殻３と気密外室２の殻４とを連結片５により一体に連結してなることを特徴とする小さな熱作用子Ａ。
【請求項２】
前記気密内室１の殻３、気密外室２の殻４及び結合子５は、熱不良導体のコルク様繊維質で形成される請求項１記載の小さな熱作用子Ａ。
【請求項３】
中央核部に空気を密閉した小さな気密内室１と、前記気密内室１を内包する空気密閉の気密外室２と、前記気密内室１と気密外室２を堅牢な物質で殻成すると共に前記気密内室１の殻３と気密外室２の殻４とを連結片５により一体に連結してなる小さな熱作用子Ａを多数個設け、それを所要の袋に封入してなることを特徴とする温冷用癒しパッド。
【考案の詳細な説明】
【技術分野】
【０００１】
本考案は、人体の患部の痛みや心身の疲労の除去を図るために、所要部位にあてがって健康な状態に癒せるようにした温冷用癒しパッド及びそのパッドに封入される熱作用子に関するものである。
【背景技術】
【０００２】
従来、首、肩、腰、背、腕、肘、膝、股、足首、関節等の患部が痛んでいるとき、心身が疲れていてリラックスが必要なときなどに、患部や頭部を温冷することが対症療法として行われている。その温冷手段としては、一般に、お湯や冷水で温冷した絞りタオルが広く使用されている。
【０００３】
それに加えて、最近は、冷やすときは冷媒体を冷蔵庫で冷凍して用いる、所謂、商標名「アイスノン」等と称される物品が普及している。
【０００４】
それらは、いずれも使用が簡便で便利なものである。特に、タオルは、どこの家庭にも備えられている身近なものであり、安直に使用できる点で優れている。
【０００５】
前記タオルの場合は一度の使用効果の持続時間が短かく、又、タオルやアイスノンは、使用中、目覚めているときは注意しているから避けられるとしても、睡眠時に、それが当てがっていたところからずれると周囲の夜具を濡らすことが往々にしてあることは、よく経験することである。
【考案の開示】
【考案が解決しようとする課題】
【０００６】
そこで、温冷の蓄熱が簡易迅速にでき、又、温冷した後の持続時間が長く、夜具を濡らす心配も全くなく安心して使用することができるようにした温冷用癒しパッド及びそのパッドに封入される熱作用子を得ようとするものである。
【課題を解決するための手段】
【０００７】
本考案は、上記の如き観点に鑑みてなされたものである。その主たる構成は、中央核部に空気を密閉した小さな気密内室と、前記気密内室を内包する空気密閉の気密外室と、前記気密内室と気密外室を堅牢な物質で殻成すると共に前記気密内室の殻と気密外室の殻とを連結片により一体に連結してなる小さな熱作用子を多数個設け、それを所要の袋に封入した温冷用癒しパッド及びそのパッドに封入される熱作用子を提供しようとするものである。
【０００８】
そして、前記気密内室の殻、気密外室の殻及び結合子は、熱不良導体のコルク様繊維質で形成し、以って蓄熱に富むと共に緩やかな熱放散を行うことが好ましい。
【考案の効果】
【０００９】
本考案に係る温冷用癒しパッド及びそのパッドに封入される熱作用子は、以上の如く構成されてなるものであるから、該パッドを所要の加熱手段によって外部から給熱すると、個々の熱作用子は、その殻や結合子を通じて熱が補給されると共にその補給熱は気密内室と気密外室の空気層に蓄熱される。
【００１０】
一旦蓄えられた熱は、気密内室と気密外室との離隔によりゆっくりとほどよく放熱されて、保温又は保冷の持続時間が単室に比べてより長くなる。
【００１１】
従って、当該パッドに給熱する熱源が温熱の場合には温められ、反対に、冷熱の場合には冷やされる。
【００１２】
以上の通り、温冷の蓄熱が簡易迅速にでき、又、蓄熱された温冷熱は徐々に放熱されるから温冷の持続時間が長く、又、夜具を濡らす心配も全くないから安心して使用することができ、使用感の良さと相俟って気持ちよく安らかに就眠することもできるものである。
【考案を実施するための最良の形態】
【００１３】
以下、図面を参照しながら詳細に説明する。
図１は本考案一実施例の温冷用癒しパッドの袋に封入される熱作用子の構造を示す拡大断面図である。
中央核部に空気を密閉した小さな気密内室１が形成され、又、該気密内室１を内包する空気密閉の気密外室２が形成されている。
【００１４】
前記気密内室１と気密外室２は堅牢なコルク様繊維質で殻成され、該気密内室１の殻３と気密外室２の殻４は同様の物質の連結片５により一体に連結され、以って小さな熱作用子Ａとしてある。
【００１５】
そして、前記熱作用子Ａを多数個設け、それを所要の袋（図示されていない）に封入して温冷用癒しパッドとするものである。
【図面の簡単な説明】
【００１６】
【図１】本考案一実施例の温冷用癒しパッドの袋に封入される熱作用子の構造を示す拡大断面図である。
【符号の説明】
【００１７】
１  気密内室
２  気密外室
３  気密内室１の殻
４  気密外室２の殻
５  連結片
Ａ  熱作用子
【図１】
0003103007.tif 000003
(57)【要約】【課題】  中華飲食店厨房等の容器洗浄シンクより、グリストラップ又は直接、下水等へ排出される以前の段階にて、油脂分等の排出防止を可能とする装置。【解決手役】  洗浄シンクの機能を損なうこと無く、しかも残滓等からの残油脂分の排出防止の為に、機能を分担させ、シートフィルタに依る残食滓等の回収排除と、油脂分吸着フィルターに因り、残油脂分等の吸着回収を段階的に為し、残油脂分等の排出を防止する。又、排水パイブの、ぬめり防止と、防臭の為、銅イオンを活用する様に創意考案した装置である。【選択図】  図３
0003103006.tif 000002
【実用新案登録請求の範囲】
【請求項１】
金物又はプラスチック類で構成される粗目フレ−ムによるシ−トフイルタ−押さえ枠。
【請求項２】
洗浄シンク内、残滓受け籠へ装着する、油脂分吸着フイルタ−による、簡易油脂分回収装置。
【考案の詳細な説明】
【技術分野】
【０００１】
本考案は、中華飲食店等の油脂分の多い厨房の食器洗浄シンク等からの、残油脂分等の排出防止装置に関するものである。
【背景技術】
【０００２】
現在殆どの、中華飲食店等の厨房の食器等の―次洗浄シンクに於いては、食べ残し滓、残スーブ等は、残滓受け篭へ排棄されているが、籠に溜った固形物を棄てるのに籠をひっくり返し、叩き出し、油脂分による目詰を洗剤で洗い落す等、大変手間を取る作業がある。籠穴を通過した残スーブは油脂分を含み、其のまま排水管を通り、グリストラップ、又は直接下水へ排出され、此等がグリストラップの汚染、能力低下や排水管等の閉塞の一因を為し、強いては、河川や海洋汚染の元凶と為っている。
【０００３】
此等の防止策としては従来、グリストラップの規制強化に因って、下水口への油脂分、その他、汚染物質の排出防止を強化しているが、中小業者に於いては設備投資の余裕や設置スペースも無く又、設置されて有っても、グリストラップの洗浄作業が大変で、入手や時間的余裕もなく殆ど垂れ流し状態である。
【０００４】
排出された油脂分等の処理法としては、グリストラップにバイオ、オゾン等の活用を組み合せた方式等も有るが、設備が大仕掛けで、処理費用も高額で有り、大手業者はとかく、中小業者は負但が多大で不可能である。又、廉価な簡易方式型のグリストラップを設置したとしても、能力不足で油脂分の排出防止には殆ど機能していないケ−スが多い。
【考案の開示】
【考案が解決しようとする課題】
【０００５】
解決しようとする問題点は、グリストラップへ排出される以前の段階に於いて、油脂分等を吸着回収し、流出を防止除去する技術に関するもので有る。
【課題を解決するための手段】
【０００６】
本考案は厨房の、洗浄用シンクよりの、油脂分等の排出を比較的簡易に吸着回収し、流出防止する事を特徴とする、簡易処理装置で有る。
【考案の効果】
【０００７】
本考案の洗浄シンク用、油脂分等の排出防止装置は、簡易な処理装置に因って簡単に、油脂分等の排出を吸着回収する事が可能となり、排水管やグリストラップ等の汚染、閉塞等も減少し、排水路、河川、海洋等の汚染も減少させ、環境浄化に寄与するもので有る。
【考案を実施するための最良の形態】
【０００８】
洗浄シンクの内側に設置された、残滓受け籠に、ぬめり取と防臭用に銅イオン活用の銅メッシュネット又はバンチング銅メタル製籠を設置、其の内側に油脂分吸着フィルターを装着、フィルター押さえ格子枠にて固定し、更に内側に残滓取シートを装着し、これを押さえ枠にて固定する、残滓取シートは残滓の堆積状態に応じて、交換、回収廃棄する。
油脂分吸着フィルターは油脂分の、吸着状況に応じ交換回収する。
【実施例】
【０００９】
（１）は、残滓取シート押さえ用、金物又はプラスチック類で構成される粗目フレーム、（２）は、残滓を回収する為のシート、（３）は油脂分吸着フィルター押さえ込み枠、（４）は油脂分吸着フィルターで有る。（５）は銅イオンを活用して、ぬめり取りと防臭作用の為にパンチング銅板、又は銅メタルネット等で構成される、銅イオンフレ−ムである。（６）は既存の残滓受け籠である。
【００１０】
図１は、本考案装置の１実施例の全体外観図であって、（６）の既存の残滓受け籠の内側へ、図３の本考案フイルタ−装置（１〜５）が装着される。
【００１１】
図３は、本考案のフイルタ−装置の断面図であり、（２）の残滓回収用シ−トは残滓の堆積に応じて交換、回収廃棄する。
【００１２】
（４）の油脂分吸着フイルタ−は吸着状態に応じて適宜、交換回収する。
【産業上の利用可能性】
【００１３】
此の様な、洗浄シンク内設置型で油脂分の吸着回収除去を目的とした、フイルタ−式の除去装置は、飲食店の洗浄タンク専用としてでは無く、他産業の洗浄作業工程等にも活用可能である。
【図面の簡単な説明】
【００１４】
【図１】本考案フイルター装置の実施方法を示した全体外観図である。
【図２】本考案フイルター装置を取り付ける、残滓受け籠を示した外観図である。
【図３】本考案フイルター装置の断面図である。
【符号の説明】
【００１５】
１  シ−ト押さえ粗目フレ−ム
２  残滓取りシ−ト
３  フイルタ−押さえ枠
４  油脂分吸着フイルタ−
５  銅イオンフレ−ム
６  既存の残滓受け籠
【図１】
0003103006.tif 000003
【図２】
0003103006.tif 000004
【図３】
0003103006.tif 000005
【手続補正書】
【提出日】平成16年3月3日(2004.3.3)
【手続補正１】
【補正対象書類名】実用新案登録請求の範囲
【補正対象項目名】全文
【補正方法】変更
【補正の内容】
【実用新案登録請求の範囲】
【請求項１】
金物又はプラスチック類で構成される粗目フレームによるシートフィルター押さえ枠を利用し、洗浄シンク内の残淳受け籠に装着する油脂分吸着フィルターによる、簡易油脂分回収装置。
(57)【要約】【課題】インターネットセキュリティを向上させる為に、インターネット通信配線（回路）を物理的に切断する機器を提供する。【解決手段】インターネット通信配線（回路）の途中に物理的にインターネット通信配線（回路）の切断・接続のスイッチをつける事によってインターネットセキュリティを向上させる。【選択図】  図３
0003103360.tif 000002
【実用新案登録請求の範囲】
【請求項１】
インターネット通信配線（回路）の途中に物理的にインターネット通信配線（回路）の切断・接続のスイッチをつける事によってインターネットセキュリティを向上させる。
【考案の詳細な説明】
【技術分野】
【０００１】  この実用新案は、インターネット通信配線（回路）を物理的に切断することによって、インターネットセキュリティを向上させる物である。
【背景技術】
【０００２】  従来のファイアウォールはソフトウェア的に、ルーターの場合はハードウェアをソフトウェア的に制御する事によって、インターネット通信配線（回路）を遮断する事でインターネットセキュリティを向上させている。【０００３】  これらには次のような欠点があった。
イ  インターネットを使用していない状態で、コンピュータが起動時にソフトウェア的にインターネット通信配線を遮断しても、この方法ではインターネット通信配線は物理的に繋がっており、不正侵入を防ぐ事が完全ではない。
ロ  昨今のインターネットにおけるブロードバンド化は著しい物であるが、多くはＬＡＮボードを使用している、現在のコンピュータにはＷＯＬ機能を持つ物が多く、仮にコンピュータが起動していない状態において外部からＷＯＬ機能を使用してコンピュータを起動されてしまい不正侵入をされる恐れもある。
ハ  ルーターの場合、制御ソフトのパスワードを解析される恐れがある。
ホ  仮にインターネット通信配線（回路）を取り外す場合にはコンピュータの背面に腕を伸ばす作業が大変煩わしかった。
本実用新案は、以上のような欠点を解決するためになされたものである。
【課題を解決しようとする課題】
【０００４】  イ  インターネットを使用していない状態でのコンピュータのセキュリティ向上。
ロ  インターネット通信配線（回路）を取り外す行為を容易にする。
【課題を解決するための手段】
【０００５】  インターネット通信配線（回路）の途中に切断・接続のスイッチをつける。
以下、本実用新案の実施の形態を説明する。
イ  モデムからのインターネット通信配線（回路）に本実用新案を取り付ける。
ロ  本実用新案には物理的にインターネット通信配線（回路）を切断・接続させるスイッチがついている。
ハ  本実用新案のスイッチをＯＮにする事によってインターネット通信配線（回路）が物理的に接続される。
ニ  本実用新案のスイッチをＯＦＦにする事によってインターネット通信配線（回路）が物理的に切断される。
本実用新案は以上の構成によりなっている。
本実用新案を使用する時には、本体についているスイッチをＯＮまたはＯＦＦにする事によって容易且つ、物理的にインターネット通信配線（回路）切断・接続する事が出来る。
コンピュータのインターネット通信配線（回路）を取り外す事無く、容易にインターネット通信配線（回路）を物理的に切断・接続する事が出来る。
【考案の効果】
【０００６】  本実用新案を使用することによって、コンピュータのインターネット通信配線（回路）のに切断・接続を容易にすることができる。
インターネット通信配線（回路）を取り外す手間が省ける。
【考案を実施するための最良の形態】
【０００７】  モデムからのインターネット通信配線（回路）のケーブルを本品に接続し、本品からコンピュータ本体（若しくはルーター）にインターネット通信配線（回路）のケーブルを接続する。
【図面の簡単な説明】
【０００８】
【図１】    本実用新案の斜視図である。
【図２】    本実用新案の実施方法を示す図である。
【図３】    本実用新案の電気回路図である。（本図においては現在ブロードバンドインターネット接続に使われている１０／１００／１０００ＢＡＳＥ−Ｔ／ＴＸケーブルを例に示す。）
【符号の説明】
【０００９】  １  インターネット通信配線（回路）の切断・接続のスイッチ
２  モデムからのインターネット通信配線（回路）のケーブル
３  本体からコンピュータ本体へのインターネット通信配線（回路）のケーブル
４  インターネット通信配線（回路）のケーブルコネクタ
５  本体カバー
６  本体
【図１】
0003103360.tif 000003
【図２】
0003103360.tif 000004
【図３】
0003103360.tif 000005
【手続補正書】
【提出日】平成15年10月30日(2003.10.30)
【手続補正１】
【補正対象書類名】実用新案登録請求の範囲
【補正対象項目名】全文
【補正方法】変更
【補正の内容】
【実用新案登録請求の範囲】
【請求項１】
・インターネット通信配線（回路）の途中に物理的にインターネット通信配線（回路）の切断・接続のスイッチをつけた実用新案インターネット通信配線（回路）切断器。
【手続補正書】
【提出日】平成16年2月13日(2004.2.13)
【手続補正１】
【補正対象書類名】実用新案登録請求の範囲
【補正対象項目名】全文
【補正方法】変更
【補正の内容】
【実用新案登録請求の範囲】
【請求項１】
インターネット通信配線及び回路の途中に物理的にインターネット通信配線及び回路の切断・接続のスイッチをつけた実用新案インターネット通信配線及び回路切断器。
(57)【要約】【課題】従来の魚釣り用発光体固定治具で、魚釣り用発光体を収納容器では、発光体３の長さ、径の太さが限られ使用したい発光体３が収納できない欠点があり、また硬質性合成樹脂Ｕ字形固定治具においては、釣り糸に発光体３を固定する場合頭部分と釣り糸に隙間が生じそこに釣り針、仕掛け糸（釣り針のついた）が絡み、餌の付け替えや仕掛け作り直しが頻繁で苦労している。【解決手段】本考案の魚釣り用固定治具は、上記を解決するため形状を松茸型に硬質性合成樹脂で成型したものに胴部分に発光体３が固定できるよう軟質性ビニ−ルチュ−ブ２が一体化している。２個１組で役割を果たすもので穿設された孔に約３０ｃｍｍの釣り糸４を通し、脱落防止に両端に連結管５で構成してあり発光体３頭部に合わせ成型したＵ字形の溝まで挟み込んで発光体３を固定するものである。【選択図】図３
0003103354.tif 000002
【実用新案登録請求の範囲】
【請求項１】
本考案の魚釣り用発光体固定治具は形状を松茸型に硬質性合成樹脂で成型されており胴部分には魚釣り用発光体を固定するための透明性軟質ビニ−ルチュ−ブが一体化したことを特徴とした魚釣り用発光体固定治具。
【請求項２】
魚釣り用発光体の先端頭部分を密着し固定させるためＵ字形に成型された請求項１記載の魚釣り用発光体固定治具。
【請求項３】
本考案の魚釣り用発光体固定治具は２個１組で本来の役割を果たすため約１ｍｍの穿設された孔に釣り糸４を約３０ｃｍｍ通し両先端を連結管５で脱落防止と移動が容易にできるよう請求項１〜請求項２いずれか記載の魚釣り用発光体固定治具。
【考案の詳細な説明】
【技術分野】
【０００１】本考案は魚釣り用仕掛けに用いる発光体の固定治具であり、釣り針による引っ掛かり、また仕掛け糸（釣り針のついた）の絡みを防止すると共に魚釣り用発光体の位置決め、交換が簡単にでき釣り糸と釣り用連結管で構成され数多において使用可能にしたもの。
【背景技術】
【０００２】従来の魚釣り用発光体を仕掛けに固定する場合。例えば太刀魚釣りにおいては、海中に魚釣り用発光体を固定した仕掛けとともに沈めて使用する。ある種の魚釣り用発光体固定治具は、筒型状の硬質樹脂製容器に収納して使われている。【０００３】また、魚釣り用発光体に仕掛けの糸とを固定する硬質合成樹脂製Ｕ字形魚釣り用固定治具、軟質製ビニルチュ−ブで魚釣り用発光体の頭部を固定して使われている。
【考案の開示】
【考案が解決しようとする課題】
【０００４】上記の魚釣り用発光体の固定で筒型状の硬質合成樹脂製容器では、魚釣り用発光体本体収納の際。長さ、径の太さが限られ使用したい魚釣り用発光体が収納できない欠点がある。魚釣り用発光体の固定で硬質樹脂製Ｕ字形固定治具においては、釣り糸に魚釣り用発光体を固定した場合、頭部分と釣り糸に隙間が生じそこに釣り針、仕掛け糸（釣り針のついた）が絡み、餌の付け替えや仕掛けの作り直しが頻繁で苦労している。【０００５】また、硬質合成樹脂製Ｕ字形魚釣り用固定治具、軟質製ビニルチュ−ブは釣り人が魚釣り終了時、使用１回限りでの廃棄が多いため数多において使用できる魚釣り用固定治具をも含めて提供することを目的としたものである。
【課題を解決するための手段】
【０００６】本考案は、上記の欠点を解決するため、本考案の図１記載の正面図で示すように魚釣り用発光体固定治具本体１の形状を松茸型に硬質性合成樹脂で形成し縦中心線上に釣り糸通し孔を穿設し、胴体部分には魚釣り発光体３を固定する軟質製ビニルチュ−ブ２を装着し一体化したことを特徴とする。【０００７】上記構成において、本考案の魚釣り用発光体固定治具を２個１組にして使用する。軟質製ビニルチュ−ブ２の切断面を向かい合わせた状態で釣り糸４を通すことで魚釣り用発光体３両端部を挟み込み固定することが容易にできる。（図３参照）【０００８】本考案の魚釣り用発光体固定治具が脱落しないよう釣り糸４を必要な長さに切断し切断両端に連結管５で構成させておく。
【考案の効果】
【０００９】図３に示すように魚釣り用発光体３をカプセル状に固定することで従来の硬質性合成樹脂製Ｕ字形固定治具のように発光体両先端と釣り糸間に隙間の発生が解消され釣り針や仕掛け糸（釣り針のついた）の絡みが防止でき、上記のように本考案魚釣り用発光体固定治具と釣り糸４、連結管５、オモリ６とで構成させておくことで釣り人は数多において使用可能となる。
【考案を実施するための最良の形態】
【００１０】本考案の実施するための最良の形態の一例を、図面に基づいて説明する。【００１１】図１は、本考案の魚釣り用発光体固定治具の正面図、図２はＡ−Ａの断面図である。【００１２】図においては、１は松茸形に成型された硬質性合成樹脂の魚釣り用発光体固定治具本体で成型において魚釣り発光体３の両先端部分が密着するようＵ字形の溝が設けられている。（図２参照）２は魚釣り用発光体３を固定するための透明性軟質製のビニルチュ−ブで一体化させて本来の役割を果たすものである。【００１３】上記のように本考案の魚釣り用発光体固定治具の使用方法として原則として２個１組で成り立つものであり、釣り糸４と連結管５で図３に示すように仕掛けにして仕上げておくことが必要である。
【実施例】
【００１４】本考案の実施例を図３に基づいて説明する。松茸形で成型された硬質性合成樹脂の魚釣り用発光体固定治具本体１、本体胴部に装着された透明性軟質性ビニルチュ−ブ２に縦中心に約１ｍｍ穿設されている孔に、頭部は双方外側に胴部は双方内側にし釣り糸を通す。【００１５】通した釣り糸約３０ｃｍを切断し両端に連結管５を結び止める。このように構成させておけば魚釣り用発光体３は釣り人の好みにより移動させ固定することもでき、魚釣り用浮きのオモリ負荷に合わせオモリ６を取り付けることも可能である。【００１６】連結管５に道糸、釣り針（釣り糸のついた）どちらにも連結でき、本考案の魚釣り用発光体固定治具を取りはずし透明性軟質性ビニルチュ−ブ２の交換や通した釣り糸４の太さ、長さ、材質も釣り人の好みで仕掛けが作れる。
【産業上の利用可能性】
【００１７】魚釣り用発光体の直径、先端頭部に合わせたＵ字形の溝部分を成型することで数種使用できる本考案の魚釣り用発光体固定治具。
【図面の簡単な説明】
【図１】本考案の魚釣り用発光体固定治具の正面図である。
【図２】図１記載のＡ−Ａの断面図である。
【図３】本考案を適用した実地例である。
【符号の説明】
１・・・本考案の魚釣り用固定治具
２・・・透明性軟質ビニ−ルチュ−ブ
３・・・魚釣り用発光体
４・・・釣り糸
５・・・連結管
６・・・オモリ
【図１】
0003103354.tif 000003
【図２】
0003103354.tif 000004
【図３】
0003103354.tif 000005